【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
（ａ）エポキシ樹脂；及び
（ｂ）当該エポキシ樹脂組成物が硬化する際に、得られた硬化したエポキシ樹脂組成物の靭性が増大するような、少なくとも一つのエポキシ樹脂混和性ブロックセグメントと、少なくとも一つのエポキシ樹脂非混和性ブロックセグメントとを含む両親媒性ブロックコポリマー、
前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下、ポリエーテル構造を少なくとも一つ含む：
を含み、
当該最終樹脂組成物が固形状である、
パウダーコーティング組成物に用いるための硬化性固形樹脂組成物。
【請求項２】
前記両親媒性ブロックコポリマーが、少なくとも一つのエポキシ樹脂混和性ブロックセグメントと、少なくとも一つのエポキシ樹脂非混和性ブロックセグメントとを含む両親媒性ポリエーテルブロックコポリマーであり、前記混和性ブロックセグメントがポリエーテル構造を少なくとも一つ含む、請求項１に記載の組成物。
【請求項３】
（ａ）エポキシ樹脂；
（ｂ）当該エポキシ樹脂組成物が硬化する際に、得られた硬化したエポキシ樹脂組成物の靭性が増大するような、少なくとも一つのエポキシ樹脂混和性ブロックセグメントと、少なくとも一つのエポキシ樹脂非混和性ブロックセグメントとを含む両親媒性ブロックコポリマー、前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下、ポリエーテル構造を少なくとも一つ含む；及び
（ｃ）少なくとも一種の硬化剤：
を含み、
当該最終樹脂組成物が固形状である、
硬化性パウダーコーティング組成物。
【請求項４】
前記両親媒性ブロックコポリマーが、少なくとも一つのエポキシ樹脂混和性ブロックセグメントと、少なくとも一つのエポキシ樹脂非混和性ブロックセグメントとを含む両親媒性ポリエーテルブロックコポリマーであり、前記混和性ブロックセグメントがポリエーテル構造を少なくとも一つ含む、請求項３に記載の組成物。
【請求項５】
前記硬化剤が窒素含有化合物である、請求項３又は４に記載の組成物。
【請求項６】
前記窒素含有化合物が、ジシアノジアミド（ＤＩＣＹ）、ジシアノジアミドの誘導体及び付加物、例えば、ｏ−トリルビグアニド（ＯＴＢ）；アミノ基含有化合物、イミダゾール及びイミダゾールの付加物、フェノール−ホルムアルデヒド樹脂、アミノ−ホルムアルデヒド樹脂、フェノール、ビスフェノールＡ及びクレゾールノボラック、フェノール末端化エポキシ樹脂；ポリカルボン酸、例えば、ドデカン二酸、及びカルボキシル官能性樹脂、例えば、ポリエステル及びアクリル樹脂、ブロック化イソシアネート、無水物及び触媒性の硬化剤、例えば、第３級アミン、ルイス酸、ルイス塩基；並びにそれらの組合せから成る群から選択される、請求項５に記載の組成物。
【請求項７】
（ｄ）流動調整剤を含む、請求項３〜５のいずれか一項に記載の組成物。
【請求項８】
前記両親媒性ポリエーテルブロックコポリマーが、ジブロック、直鎖トリブロック、直鎖テトラブロック、高次の複数ブロック構造、分岐鎖ブロック構造、又は星型ブロック構造から成る群から選択される、請求項１〜７のいずれか一項に記載の組成物。
【請求項９】
前記混和性ブロックセグメントが、ポリエチレンオキシドブロック、プロピレンオキシドブロック又はポリ（エチレンオキシド−ｃｏ−プロピレンオキシド）ブロックを含み；そして前記非混和性ブロックセグメントが、ポリブチレンオキシドブロック、ポリヘキシレンオキシドブロック、又はポリドデシレンオキシドブロックを含む、請求項１〜８のいずれか一項に記載の組成物。
【請求項１０】
前記両親媒性ブロックコポリマーの前記混和性ブロックセグメントの少なくとも一つがポリ（エチレンオキシド）であり；そして前記両親媒性ブロックコポリマーの前記非混和性ブロックセグメントの少なくとも一つがポリ（ブチレンオキシド）である、請求項１〜９のいずれか一項に記載の組成物。
【請求項１１】
前記両親媒性ブロックコポリマーが、ポリ（エチレンオキシド）−ポリ（ブチレンオキシド）又はポリ（エチレンオキシド）−ポリ（ブチレンオキシド）−ポリ（エチレンオキシド）である、請求項１〜１０のいずれか一項に記載の組成物。
【請求項１２】
前記両親媒性ブロックコポリマーが１０００〜５０，０００の分子量を有する、請求項１〜１１のいずれか一項に記載の組成物。
【請求項１３】
前記両親媒性ブロックコポリマーの前記混和性ブロックセグメント：前記両親媒性ブロックコポリマーの前記非混和性ブロックセグメントの比率が、１０：１〜１：１０である、請求項１〜１２のいずれか一項に記載の組成物。
【請求項１４】
前記両親媒性ブロックコポリマーが、前記組成物の重量に基づいて、０．１重量％〜３０重量％の量で存在する、請求項１〜１３のいずれか一項に記載の組成物。
【請求項１５】
前記エポキシ樹脂が、多価アルコールのポリグリシジルエーテル、多価フェノールのポリグリシジルエーテル、ポリグリシジルアミン、ポリグリシジルアミド、ポリグリシジルイミド、ポリグリシジルヒダントイン、ポリグリシジルチオエーテル、エポキシ化脂肪酸又は乾性油、エポキシ化ポリオレフィン、エポキシ化不飽和二酸エステル、エポキシ化不飽和ポリエステル、オキサゾリドン基を含有するエポキシ−イソシアネート樹脂、及びそれらの混合物から成る群から選択される、請求項１〜１４のいずれか一項に記載の組成物。
【請求項１６】
前記エポキシ樹脂が、多価アルコールのグリシジルポリエーテル又は多価フェノールのグリシジルポリエーテルである、請求項１〜１５のいずれか一項に記載の組成物。
【請求項１７】
前記エポキシ樹脂が、３，４−エポキシシクロヘキシルメチル−３，４−エポキシシクロヘキシルカルボキシレート、１，２−エポキシ−４−ビニルシクロヘキサン、ビス（７−オキサビシクロ［４．１．０］ヘプタ−３−イルメチルヘキサン二酸エステル、３，４−エポキシシクロヘキサンカルボキシレートメチルエステル、及びそれらの混合物から成る群から選択される、請求項１〜１４のいずれか一項に記載の組成物。
【請求項１８】
前記エポキシ樹脂非混和性ブロックセグメントと同一組成のホモポリマーを包含する、請求項１〜１７のいずれか一項に記載の組成物。
【請求項１９】
前記エポキシ樹脂混和性ブロックセグメントと同一組成のホモポリマーを包含する、請求項１〜１８のいずれか一項に記載の組成物。
【請求項２０】
前記エポキシ樹脂が１５０〜３０００のエポキシド当量を有する、請求項１〜１９のいずれか一項に記載の組成物。
【請求項２１】
硬化触媒を含む、請求項３〜２０のいずれか一項に記載の組成物。
【請求項２２】
前記硬化触媒が、イミダゾール誘導体、第３級アミン、ホスフィン又はホスホニウム化合物、イミニウム化合物、有機金属塩及びそれらの混合物から成る群から選択される、請求項２１に記載の組成物。
【請求項２３】
（ａ）エポキシ樹脂；及び
（ｂ）当該エポキシ樹脂組成物が硬化する際に、得られた硬化したエポキシ樹脂組成物の靭性が増大するような、少なくとも一つのエポキシ樹脂混和性ブロックセグメントと、少なくとも一つのエポキシ樹脂非混和性ブロックセグメントとを含む両親媒性ブロックコポリマー、
前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下、ポリエーテル構造を少なくとも一つ含む；
を混合することを含み、
最終樹脂組成物が固形状である、
パウダーコーティング組成物に用いるための硬化性固形樹脂組成物の調製法。
【請求項２４】
（ａ）エポキシ樹脂；
（ｂ）当該エポキシ樹脂組成物が硬化する際に、得られた硬化したエポキシ樹脂組成物の靭性が増大するような、少なくとも一つのエポキシ樹脂混和性ブロックセグメントと、少なくとも一つのエポキシ樹脂非混和性ブロックセグメントとを含む両親媒性ブロックコポリマー、
前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下、ポリエーテル構造を少なくとも一つ含む；及び
（ｃ）少なくとも一種の硬化剤、
を混合することを含み、
最終樹脂組成物が固形状である、
硬化性パウダーコーティング組成物の調製法。
【請求項２５】
コーティングされた基材の調製法であって、下記段階；
（Ｉ）当該基材を、下記を含むパウダーコーティング組成物と接触させる段階；
（ａ）エポキシ樹脂、
（ｂ）当該エポキシ樹脂組成物が硬化する際に、得られた硬化したエポキシ樹脂組成物の靭性が増大するような、少なくとも一つのエポキシ樹脂混和性ブロックセグメントと、少なくとも一つのエポキシ樹脂非混和性ブロックセグメントとを含む両親媒性ブロックコポリマー、
前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下、ポリエーテル構造を少なくとも一つ含む；及び
（ｃ）少なくとも一種の硬化剤：そして
（ＩＩ）前記パウダーコーティング組成物を、当該組成物を硬化させるために十分な温度で加熱する段階：
を含む方法。
【請求項２６】
請求項２５に記載の方法により製造したコーティングされた物品。
【請求項２７】
前記エポキシ樹脂が固形のエポキシ樹脂である、請求項１〜２２のいずれか一項に記載の組成物。